(57)【要約】【課題】  不測の位置で開封されることを回避し、所望の位置で開封可能な包装体の提供。【解決手段】  矩形の熱溶着性シートどうしを向い合わせてその縁端から位置ずれさせた位置でヒートシールをしてヒートシール部を設けることで該ヒートシール部の内側に収納部を形成した包装体であって、前記縁端からヒートシール部に至るまで切断用スリットが形成され、切断用スリットが形成されていない縁端から開封が開始された際にその切断方向を切断用スリットに向けて案内する切断案内部が設けられた構成。【選択図】  図２
2007290769.tif 000002
【特許請求の範囲】
【請求項１】
矩形の熱溶着性シートどうしを向い合わせてその縁端から位置ずれさせた位置でヒートシールをしてヒートシール部を設けることで該ヒートシール部の内側に収納部を形成した包装体であって、前記縁端からヒートシール部に至るまで切断用スリットが形成され、切断用スリットが形成されていない縁端から開封が開始された際にその切断方向を切断用スリットに向けて案内する切断案内部が設けられたことを特徴とする包装体。
【請求項２】
切断案内部は、ヒートシール部の縁部に沿う切断目状に形成されていることを特徴とする請求項１記載の包装体。
【請求項３】
切断案内部は、直線状で長さ方向の同一直線上にある多数のスリットから構成され、且つスリットの長さがスリット間の長さに比べて大きいミシン目状に形成されていることを特徴とする請求項２記載の包装体。
【請求項４】
切断案内部は、縁端方向である上方へ向けて凸、ヒートシール部である下方へ向けて凸となるよう湾曲した湾曲スリットをヒートシール部の縁部に沿うよう交互に並べ、且つ隣合う湾曲スリットの端部どうしが上下方向に投影した場合に重なるよう湾曲スリットどうしを不連続に形成していることを特徴とする請求項２記載の包装体。
【請求項５】
切断案内部は、ヒートシール部の縁部の他の部分に比べて脆弱に形成していることを特徴とする請求項１記載の包装体。
【請求項６】
切断案内部は、圧痕であることを特徴とする請求項５記載の包装体。
【請求項７】
熱溶着性シートどうしを向い合わせたその縁端の少なくとも切断用スリットの近傍に、切断用スリットとは別で切断スリットに比べて短い補助スリットが縁端から延びて且つ切断用スリットに並べて形成されていることを特徴とする請求項１ないし請求項６の何れかに記載の包装体。
【請求項８】
補助スリットは、縁端の全域に亙って配置されていることを特徴とする請求項７記載の包装体。
【請求項９】
請求項１ないし請求項８の何れかに記載の包装体を分包袋として、この分包袋が連続して形成されていることを特徴とする包装体。
【請求項１０】
収納部には、薬剤が収納されることを特徴とする請求項１ないし請求項９の何れかに記載の包装体。
【発明の詳細な説明】
【技術分野】
【０００１】
本発明は、薬剤等を包装する包装体に関する。
【背景技術】
【０００２】
従来、食品や薬剤等の内容物を包装する包装体として、例えば特許文献１に示すものがある。近年、プラスチックフィルムと紙等の素材とを積層したフィルムは軽量であって且つ気密性に優れるといったことから、汎用されている。しかしながら、上記フィルムからなる包装体では、素材の有する長所が、包装体を開封するにあたって逆に引き裂き抵抗となり、開封しにくいという問題を提起している。そこで、上記特許文献１では、包装体の端縁部に多数の傷痕を形成することで、包装体を開封しようとすると傷痕どうしがつながるようになって引き裂き易くなる。
【特許文献１】特開平６−８９４７号公報
【発明の開示】
【発明が解決しようとする課題】
【０００３】
しかしながら、包装体を開封しようとすると、何れの傷痕につながるかがわからないため、不測の位置に包装体が開封されてしまうことが考えられる。このような場合、包装体に包装されている内容物（例えば散剤等）では、こぼれてしまうようなことがある。このような不都合は、散剤以外のものを収納した包装体についても同様である。
【０００４】
そこで本発明は、不測の位置で開封されることを回避し、所望の位置で開封可能な包装体の提供を課題とする。
【課題を解決するための手段】
【０００５】
本発明の包装体は、矩形の熱溶着性シートどうしを向い合わせてその縁端から位置ずれさせた位置でヒートシールをしてヒートシール部を設けることで該ヒートシール部の内側に収納部を形成した包装体であって、前記縁端からヒートシール部に至るまで切断用スリットが形成され、切断用スリットが形成されていない縁端から開封が開始された際にその切断方向を切断用スリットに向けて案内する切断案内部が設けられたことを特徴としている。
【０００６】
上記包装体において、切断用スリットが形成されていない縁端から開封が開始された際に、手指で切断案内部までその切断をし、切断用スリットまで切断案内部を切断するようにして、切断用スリットから手指で開封することで、包装体が手指の力で開封しにくい材料で形成されていたとしても、包装体を容易に開封することができる。
【０００７】
本発明の包装体は、切断案内部は、ヒートシール部の縁部に沿う切断目状に形成されていることを特徴としている。
【０００８】
上記構成のように、切断案内部を切断目状とすることで、切断案内部が容易に切断される。
【０００９】
本発明の包装体では、切断案内部は、直線状で長さ方向の同一直線上にある多数のスリットから構成され、且つスリットの長さがスリット間の長さに比べて大きいミシン目状に形成されていることを特徴としている。
【００１０】
スリットの長さをスリット間の長さに比べて大きくすれば、スリット部分での開封力がスリット間に直接的に働くことで、切断案内部の切断が極めて容易になる。
【００１１】
切断案内部は、縁端方向である上方へ向けて凸、ヒートシール部である下方へ向けて凸となるよう湾曲した湾曲スリットをヒートシール部の縁部に沿うよう交互に並べ、且つ隣合う湾曲スリットの端部どうしが上下方向に投影した場合に重なるよう湾曲スリットどうしを不連続に形成していることを特徴としている。
【００１２】
切断案内部をこのような湾曲した湾曲スリットとすることにより、隣合う湾曲スリット間の不連続部での切断方向が、…,斜め上方,斜め下方,斜め上方,…を繰返すこととなって、その斜め方向の延長上には、隣合う湾曲スリットがあるから、切断案内部を切断用スリットに向けて正確に、且つ容易に行うことができる。
【００１３】
本発明の包装体では、切断案内部は、ヒートシール部の縁部の他の部分に比べて脆弱に形成していることを特徴としている。
【００１４】
切断案内部を脆弱にすることで、切断案内部を切断し易くなる。
【００１５】
本発明の包装体では、切断案内部は、圧痕であることを特徴としている。この場合、圧痕には、切断しない程度の傷（ノッチ）を含む概念であり、切断案内部はこのような圧痕による脆弱部を形成することである。
【００１６】
切断案内部を脆弱にするためには種々考えられるが、圧痕として脆弱にすることで、切断案内部を切断し易くなる。
【００１７】
本発明の包装体は、熱溶着性シートどうしを向い合わせたその縁端の少なくとも切断用スリットの近傍に、切断用スリットとは別で切断スリットに比べて短い補助スリットが縁端から延びて且つ切断用スリットに並べて形成されていることを特徴としている。
【００１８】
上記構成の包装体において、補助スリットから背指で切断を開始すれば容易に切断案内部に切断線が至り、切断案内部を切断するようにすれば、切断用スリットに容易に到達する。
【００１９】
本発明の包装体では、補助スリットは、縁端の全域に亙って配置されていることを特徴としている。
【００２０】
この構成によれば、包装体の縁端の何れの場所からでも、包装体の開封を開始することが可能となる。
【００２１】
本発明の包装体では、上記構成の何れかに記載の包装体を分包袋として、この分包袋が連続して形成されていることを特徴としている。
【００２２】
この構成によれば、包装体を分包袋として、連続した包装体となって、多くの包装体を確保することができる。
【００２３】
本発明の包装体では、収納部は、薬剤を収納するための領域であることを特徴としている。
【００２４】
収納部に散薬等の薬剤を収納すれば、本発明の包装体を薬剤包装体として用いることができ、その開封が容易になる。
【発明の効果】
【００２５】
本発明の包装体によれば、切断用スリットが形成されていない縁端から開封を開始した場合でも切断案内部を設けているから、手指で切断案内部までその切断をすると切断案内部を切断することで切断用スリットに至り、切断用スリットから手指で包装体を開封することで、包装体が手指の力で開封しにくい材料で形成されていたとしても容易に開封することができ、包装体が不測の位置で開封されることを回避して、所望の位置で開封可能となる。
【発明を実施するための最良の形態】
【００２６】
以下、本発明の実施形態に係る包装体を、薬剤包装体を例に図面に基づいて説明する。図１は薬剤包装体を製造するための薬剤分包装置の構造を示す概略斜視図、図２は薬剤包装体の正面図および要部拡大図、図３は薬剤包装体の構造を示す縦断面図、図４は薬剤包装体を製造する際の薬剤分包装置の要部拡大斜視図、図５はヒートシール装置の概略平面図である。
【００２７】
本発明の実施形態に係る薬剤包装体２は、熱溶着性シートである矩形長尺の分包紙３を二つ折りして巻回することでロール体４とし、このロール体４から繰出されて製造されるものである。
【００２８】
したがって薬剤包装体２は、多数の薬剤包装体２の連続体として構成される。ここでは、便宜上、二つの連続する薬剤包装体２どうしについて説明する。二つの連続する薬剤包装体２は、ミシン目５１を介して一包ずつに分断されるようになっている。すなわちこのミシン目５１は、二つの薬剤包装体２の長さ方向（繰出し方向）中心位置に、長さ方向に直交する方向に、薬剤包装体２の外側縁部１０ａ，１１ａの外端辺（縁端）１０ｂ，１１ｂを除く全幅に亙って形成されている。
【００２９】
ミシン目５１と外端辺１０ｂ，１１ｂとで囲まれる領域内に下側解放コ字形のヒートシール部４７が形成されている。これによって分包紙３の三方向がヒートシールされてヒートシール部４７で囲まれる薬剤収納部（収納部）３ｃが形成される。このヒートシール部４７は、第一ヒートシール部分４５と、一対の第二ヒートシール部分４６とを有する。第一ヒートシール部分４５は、外端辺１０ｂ，１１ｂに沿い、且つ外端辺１０ｂ，１１ｂから分包紙３の折目側に位置ずれして形成されている。第二ヒートシール部分４６は第一ヒートシール部分４５の長さ方向両端部から下方に向かって（ミシン目５１と平行に）分包紙３の折目まで亙るよう形成されている。
【００３０】
外端辺１０ｂ，１１ｂの縁からヒートシール部４７の第一ヒートシール部分４５の上端縁４５ａに至るまで、上下方向に沿う切断目（切断用スリット）４０が形成されている。この切断目４０は、薬剤包装体２の長さ方向一方寄りにひとつ形成されている。
【００３１】
外側縁部１０ａ，１１ａに、切断目４０に比べて極端に短い別の切断目（スリット）４０ａが多数形成されている。切断目４０ａは外端辺１０ｂ，１１ｂから第一ヒートシール部分４５に向けて形成されるもので、外端辺１０ｂ，１１ｂの長さ方向全域に亙って、且つ隣合う切断目４０ａどうしは、長さ方向に短い間隔を置いて配置されることで、外端辺１０ｂ，１１ｂに多数形成されている。これら切断目４０ａは、切断目４０に平行に形成されて、第一ヒートシール部分４５には至らないものである。
【００３２】
切断目４０ａの最下端４０ｂから第一ヒートシール部分４５の上端縁４５ａとの間に、長さ方向に沿う切断案内部５０が形成されている。切断案内部５０は、切断目４０ａの最下端４０ｂからヒートシール部４７の上端縁４５ａとの間で、上端縁４５ａの近傍に配置され、且つ長さ方向全域に亙って形成されている。この切断案内部５０は、長さ方向に長いミシン目、換言すれば、横方向の細かな多数の横スリット５２によって構成されるものである。切断案内部５０は、切断目４０に交差（この場合、直交）する。
【００３３】
上記薬剤包装体２を構成する分包紙３は、熱溶着性シートからなっている。すなわち、分包紙３は基材３ａとこの基材３ａの片面に積層された熱融着層３ｂからなっている。分包紙３は、熱融着層３ｂどうしが対向するよう熱溶着性シートを長さ方向に沿って折られているものである。分包紙３の対向するシート片部１０，１１の外側縁部１０ａ，１１ａの外端辺１０ｂ，１１ｂどうしが一致するよう中心で二つ折りされて重なっている状態で、ロール体４となっている。
【００３４】
分包紙３には、ロール体４の状態で予め前記切断目４０ａおよび切断案内部５０が形成されている。尚、例えば前記基材３ａとして、気密性や強度に優れるグラシン紙等が用いられ、熱融着層３ｂとしてポリエチレン等が用いられている。
【００３５】
このような分包紙３を連続した薬剤包装体２とするために、薬剤分包装置１が用いられる。薬剤分包装置１は、ロール体４を支持する支持部５と、ロール体４から分包紙３を繰り出す駆動部７と、薬剤８を所定量毎に分配し且つ所定量毎の薬剤８を下方に供給する薬剤分配装置９と、薬剤分配装置９から供給された薬剤８をロール体４から繰り出された分包紙３が折り畳まれた後に該分包紙３のシート片部１０，１１間に薬剤８を投入するための投入部（薬剤供給装置）１２と、折り畳まれた分包紙３に対してヒートシールを行うヒートシール装置１３とを備えている。図中の符号１５は、ヒートシール装置１３を覆う保護カバーを示す。
【００３６】
ここで、薬剤分包装置１における各部材の概略構成について説明する。支持部５は、ロール体４を軸線回り回転自在に支持するもので、好ましくは、支持部５は中空筒状の紙管１９を有する。ロール体４は、紙管１９の外周面に巻き回されてなる。支持部５は、紙管１９を軸線回り相対回転自在に支持し得るように構成される。
【００３７】
支持部５を、軸線回りに回転自在とされた支持軸とし、該支持軸回りに直接に長尺の熱溶着性シートを巻き回すことも可能である。支持部５には、ブレーキ機構等の分包紙搬送制御機構を備えることができ、必要及び／又は所望により、分包紙の搬送停止又は搬送速度制御を行えるように構成し得る。
【００３８】
駆動部７は、ロール体４から分包紙３を繰り出し得る限り種々の構成を採用し得る。本実施の形態においては、駆動部７は、図４に示すように、ヒートシール装置１３の分包紙３の搬送方向後流側に配設された一対の駆動ローラ２０，２１を備えている。
【００３９】
案内部８は、ロール体４から繰り出される分包紙３を投入部１２等の後続する各部材へ向けて案内するように構成されている。具体的には、該案内部８は、分包紙３の搬送方向に沿って配設された複数のガイドバー２２を備えている。
【００４０】
投入部１２は、上端開口及び下端開口を有する中空状のホッパー７ａ，７ｂを備えている（図４においては、ホッパー７ｂのみを図示している）。ホッパー７ｂの上端開口は、処方箋に基づき、自動又は手動で分配され且つ供給される薬剤８を受け入れ得るようになっている。ホッパー７ｂの下端開口は、分包紙３のシート片部１０，１１の間に挿入される。薬剤８は、処方箋に基づき自動又は手動で供給される。
【００４１】
ヒートシール装置１３は、分包紙３に対し投入部１２によって収納された薬剤８を薬剤収納部３ｃに密封して薬剤包装体２とするように分包紙３を熱融着するヒートシール部材２３を備えている。本実施の形態においては、該ヒートシール部材２３は、２つ折りにされた分包紙３のシート片部１０，１１どうしを熱融着すべく三叉状に形成されたヒータ台２５と、分包紙３を挟んでヒータ台２５に対向配置されたヒータ受け台２６とを備えている。ヒータ台２５およびヒータ受け台２６は、分包紙３の紙面に直交する方向へ移動可能に構成されている。
【００４２】
ヒートシールを行う際には、ヒータ台２５およびヒータ受け台２６が互いに近接する方向へ移動し、ヒータ台２５およびヒータ受け台２６によって挟圧される分包紙３の熱溶着面（熱融着層３ｂ）どうしをヒートシールするものである。
【００４３】
ヒータ台２５は、分包紙３の流れ方向に延び、且つ分包紙３を個々に仕切るための幅シール部２７と、この幅シール部２７の上端から分包紙３の流れ方向下流側に沿って延び、分包紙３の外側縁部１０ａ，１１ａ間である上方開口部３ｃを閉塞するための第一シール部２８と、幅シール部２７の上端から下流側に、分包紙３の流れ方向上流側に沿って延び、分包紙３の上方開口部３ｃを閉塞するための第二シール部３０とからなり、正面視略Ｔ字形（三叉状）に形成されている。
【００４４】
第一シール部２８と第二シール部３０とはその長さが異なっており、第一シール部２８は第二シール部３０よりも長く形成されている。なお、ヒータ受け台２６は、ヒータ台２５に鏡像的に重なるように、ヒータ台２５と略同一形状に形成して配置されている。
【００４５】
ヒータ台２５は、両端がリード線を介して不図示の電源に接続された発熱体３１（例えば電熱線等）を有し、この発熱体３１はヒータ台２５に埋設されている。すなわち発熱体３１は、ヒータ台２５の形状に沿ってＴ字状（三叉状）に形成されており、この発熱体３１は、ヒータ台２５の第一シール部２８、幅シール部２７、第二シール部３０に亙るように配置されている。すなわち発熱体３１は、ヒータ台２５の第一シール部２８に埋設される第一発熱部３５と、この第一発熱部３５から幅シール部２７に延び幅シール部２７で反転するＵ字形の湾曲発熱部３６と、この湾曲発熱部３６から第二シール部３０に延びる第二発熱部３７とを有する。
【００４６】
第一シール部２８の下流側に、上方に向けて折曲げ延長された立上げ部３８が一体に設けられ、該立上げ部３８を切断目４０を形成する切断目形成部材としている。第一発熱部３５および第二発熱部３７は同一平面内にあり、ヒータ台２５の上面２５ｂから分包紙３の薬剤収納部３ｃ側に相当する方向である方向、すなわち下方に位置ずれして配置されているとともに上面２５ｂに沿って配置されている。
【００４７】
前記立上げ部３８は角柱状に形成されており、その前面２５ａに、薬剤包装体２に前記切断目４０を形成するための押圧片４１が形成されている。
【００４８】
押圧片４１は、立上げ部３８の前面に配置されている。押圧片４１は、その先端に縦方向の刃部４１ａを有し、全体として例えば先端ほど薄くなる平面視三角形に形成されている。
【００４９】
図４に示すように、ヒータ受け台２６は、立上げ部３８に対向する位置に突出部２６Ａを有し、突出部２６Ａの押圧片４１に対応する個所に、押圧片４１とともに切断目４０を形成するための受け凹部４３を有する。ヒータ台２５とヒータ受け台２６とは、押圧片４１、受け凹部４３以外の部分は、挟圧用の平面２５ｄ，２６ｄとされ、これら平面２５ｄ，２６ｄでもって分包紙３を挟圧する。なお、押圧片４１の先端の刃部４１ａは挟圧用の平面２５ｄに対してヒータ受け台２６側へ突出している。また挿入隙間４３は、平面２６ｄに対して凹となっている。
【００５０】
上記構成の薬剤分包装置１において、駆動部７の駆動力によってロール体４から繰り出された分包紙３は、ヒートシール装置１３に至る前に、予め熱融着層３ｂどうしが対向するよう長さ方向に沿って幅方向中心で折られている。したがって、分包紙３をロール体４から繰り出している途中で折り曲げる必要がなく、例えば折り畳みガイド等の部材を必要とせず、折り畳みガイド等を必要としない分だけ薬剤分包装置１の構成は簡素化されている。
【００５１】
分包紙３はその繰出し途中位置に配置した投入部１２のホッパー７ｂから薬剤８が投入される。その後、ヒートシール装置１３によってヒートシールされることで繰出し方向に沿う第一ヒートシール部分４５と、第一ヒートシール部分４５の両側から下方に向かう上下方向の第二ヒートシール部分４６とからなる下側開放コ字形のヒートシール部４７が形成される。加熱された発熱体３１の熱によって、分包紙３のシート片部１０，１１の熱融着層３ｂどうしが上下流方向（長さ方向）に所定間隔置きに熱融着され、薬剤８を薬剤収納部３ｃに内包して連続した薬剤包装体２が製造されるものである。
【００５２】
分包紙３はヒータ台２５とヒータ受け台２６との挟圧用の平面２５ｄ，２６ｄで挟圧されるとき、第一シール部２８に押圧片４１が配置され、ヒータ受け台２６の押圧片４１に対応する個所に受け凹部４２が形成されているから、分包紙３のシート片部１０，１１の外側縁部１０ａ，１１ａに、縦方向の切断目４０が切り込むように形成される。このような切断目４０は、第一ヒートシール部分４５の上端縁４５ａに至る。
【００５３】
第一シール部２８は第二シール部３０よりも短く形成されているから、切断目４０は、薬剤包装体２の長さ方向中心から一方側（この場合、下流側）に偏心した位置に形成される。なお、上記のような連続した薬剤包装体２において隣合う第二ヒートシール部分４６,４６の間には、ミシン目５１が上下方向（幅方向）全域に亙って形成されており、ミシン目５１は、薬剤包装体２を製造する途中で形成される。
【００５４】
上記のようにして製造された薬剤包装体２はミシン目５１を例えば手指で切断してひとつひとつの薬剤包装体２に容易に分割することができる。
【００５５】
ひとつの薬剤包装体２に収納された薬剤８は、薬剤包装体２を切断（開封）して服用される。このとき、薬剤包装体２には上記のような切断目４０があるから、この切断目４０から薬剤包装体２の切断を開始することで、薬剤包装体２を容易に切断して薬剤収納部３ｃ内の薬剤８を服用することができる。
【００５６】
しかしながら、薬剤８の服用者としては、必ずしも切断目４０から開封を開始するとは限らない。それは、例えば、この種の薬剤包装体２を製造するための熱溶着性シートは、薬剤８が見てとれるよう透明である（透光性を有する）ことが一般的である。このような透明なシートに切断目４０を形成してもその切断目４０を見つけにくい場合があるからである。
【００５７】
このため、薬剤包装体２には切断目４０とは別に、切断目４０ａを多数形成している。すなわち服用者は、切断目４０ａから薬剤包装体２の開封を開始することがある。しかしながら、切断目４０ａは第一ヒートシール部分４５には至っていない。このとき、ポリエチレンをラミネートしたセロポリ紙等は、手指で切断するのにはかなりの力をかけなければ、切断がしにくいということがある。また、その切断開始場所から無理に開封すると、不測の位置で薬剤包装体２が切断されてしまい、散剤などがこぼれてしまう。
【００５８】
しかしながら、この薬剤包装体２には切断目４０とは別の切断目４０ａから切断を開始した際に、第一ヒートシール部分４５の上端縁４５ａに至る切断目４０まで、その切断方向を案内する切断案内部５０を形成している。すなわち、服用者が切断目４０ａから切断を開始した場合は、その切断を切断案内部５０まで至らしめる。そうすると、切断案内部５０は長さ方向に長いミシン目、横方向の細かな多数の横スリット５２によって構成されるものであるから、これらミシン目の横スリット５２間が切断され、それまでの切断方向を切断案内部５０から切断目４０に向けて切断するようにする。このとき、切断案内部５０は横方向の細かな多数の横スリット５２によって構成されるものであるから、極めて容易に切断目４０に向けて切断することができる。
【００５９】
このようにして分包紙３の外側縁部１０ａ，１１ａを切断目４０まで切断すれば、切断目４０から薬剤包装体２の切断をするこができるようになり、決められた位置から薬剤包装体２を容易に切断できる。したがって、薬剤包装体２が不測の位置で切断されるのを防止し、薬剤８がこぼれるようなこともなく、薬剤収納部３ｃ内の薬剤８を確実に、決められた量だけ服用することができる。特に、切断目４０の近傍にある別の切断目４０ａから切断を開始した場合には、切断目４０までは近いから、すぐに切断目４０まで至って、開封が非常に楽になる。
【００６０】
上記実施形態では、切断案内部５０は、横方向の細かな多数の横スリット５２によってミシン目状に構成されるもので、切断目４０に交差するものであるが、これに限定されるものではなく、要は、切断案内部５０は、切断目４０が形成されていない薬剤包装体２の外端辺１０ｂ，１１ｂから開封が開始された際に、その切断方向を切断目４０に向けて案内するものであればよい。
【００６１】
このような切断案内部５０の別例として、図６に示すものが考えられる。図６（ａ）に示す切断案内部５０は、下方へ凸、上方へ凸とした湾曲形状の湾曲スリット５５，５６を交互に、その端部どうしが上下方向に投影した場合に重なるよう不連続に形成して、不連続部５７を極めて短距離に形成している。
【００６２】
切断案内部５０をこのような湾曲した湾曲スリット５５，５６とすることにより、隣合う湾曲スリット５５，５６間の不連続部５７での切断方向が、…,斜め上方,斜め下方,斜め上方,…を繰返すこととなって、その斜め方向の延長上には、隣合う湾曲スリット５５，５６があるから、外側縁部１０ａ，１１ａの切断を、切断目４０に向けて正確に、且つ容易に行うことができる。
【００６３】
上記各実施形態では、切断案内部５０をスリットから構成したが、これに限定されるものではなく、切断案内部５０は、切断目４０が形成されていない薬剤包装体２の外端辺１０ｂ，１１ｂから開封が開始された際に、その切断方向を切断目４０に向けて案内するものであればよいから、切断案内部５０を、外側縁部１０ａ，１１ａにおける他の部分に比べて脆弱にすることも考えられる。
【００６４】
例えば、図６（ｂ）では、切断案内部５０を圧痕５８の連続から形成することで、切断をし易くしている。図の切断案内部５０は、一つの圧痕５８の形状が、下方へ凸となる湾曲部６０と、この湾曲部６０の端部から長さ方向に直線状に延長される直線部６１とからなっている。一つの圧痕５８に隣接する圧痕５８は、その圧痕５８の湾曲部６０の端部が、直線部６１の途中に下方から連続している。この構成によれば、圧痕５８どうしが連続しており、圧痕５８は脆弱になっているから、切断を楽に行うことができる。
【００６５】
なお、上記実施形態における包装体は、薬剤包装体２を例に説明したが、本発明の包装体は、収納部（薬剤収納部３ｃ）に、薬剤ではなく、食品、小物類、粉末、ペースト等を封入した包装体としても適用できる。
【図面の簡単な説明】
【００６６】
【図１】本発明の実施形態を示す薬剤包装体を製造するための薬剤分包装置の構造を示す概略斜視図
【図２】同じく薬剤包装体の正面図および要部拡大図
【図３】同じく薬剤包装体の構造を示す縦断面図
【図４】同じく薬剤包装体を製造する際の薬剤分包装置の要部拡大斜視図
【図５】同じくヒートシール装置の概略平面図
【図６】他の実施形態を示す薬剤包装体の切断案内部を中心とした正面拡大図
【符号の説明】
【００６７】
１…薬剤分包装置、２…薬剤包装体、３…分包紙、３ｂ…熱融着層、３ｃ…薬剤収納部、４…ロール体、７…駆動部、７ｂ…ホッパー、８…薬剤、１０，１１…シート片部、１０ａ，１１ａ…外側縁部、１０ｂ，１１ｂ…外端辺、１２…投入部、１３…ヒートシール装置、３１…発熱体、４０…切断目、４０ａ…切断目、４５…第一ヒートシール部分、４５ａ…上端縁、４７…ヒートシール部、５０…切断案内部、５１…ミシン目、５２…横スリット、５５，５６…湾曲スリット、５７…不連続部、５８…圧痕
【図１】
2007290769.tif 000003
【図２】
2007290769.tif 000004
【図３】
2007290769.tif 000005
【図４】
2007290769.tif 000006
【図５】
2007290769.tif 000007
【図６】
2007290769.tif 000008